(57)【特許請求の範囲】
【請求項１】
光成端架に収容され、局内側光コードと局外側光コードとを接続する光接続モジュールにおいて、
前記局内側光コードと接続される接続用光コードの接続余長を収納する接続用光コード収納部を内部に有するモジュール本体と、
前記モジュール本体の一端側外面に設けられ、前記接続用光コード収納部から導出された前記接続用光コードと前記局外側光コードとを接続した光コネクタを、前記モジュール本体が前記光成端架に収容された状態で着脱可能に保持するコネクタ保持部材とを備え、
前記接続用光コード収納部は、前記モジュール本体の側面に対して平行に配置され、前記接続用光コードの接続余長を収納する２つの余長収納領域を形成する仕切板と、この仕切板の一方の面に形成され、前記接続用光コードを導くためのガイド溝と、このガイド溝に連続するように前記仕切板に形成され、前記接続用光コードを前記仕切板の他方の面側に導くためのガイド穴とを有し、前記接続用光コードの最小曲げ半径を確保した状態で、前記接続用光コードの接続余長を押し込み・引き出し自在に収納するように構成されており、
前記コネクタ保持部材は２組を有し、これらのコネクタ保持部材は、前記モジュール本体の一端側外面における前記各余長収納領域に対応する部位に高さ位置をずらして設けられていることを特徴とする光接続モジュール。
【請求項２】
前記接続用光コード収納部は、前記接続用光コードの曲げ半径を前記最小曲げ半径以上に規制する第１の曲げ半径規制部材と、この第１の曲げ半径規制部材の周囲に設けられ、前記接続用光コードの曲げ半径を前記最小曲げ半径以上に規制する第２の曲げ半径規制部材とを有し、前記第１の曲げ半径規制部材と前記第２の曲げ半径規制部材との間の領域に前記接続用光コードの接続余長を巻回して収納するように構成されていることを特徴とする請求項１記載の光接続モジュール。
【請求項３】
前記モジュール本体は、前記局外側光コードの接続余長を収納する局外側光コード収納部を内部に有することを特徴とする請求項１または２記載の光接続モジュール。
【請求項４】
前記コネクタ保持部材は、前記接続用光コードを保持する第１のフック部と、この第１のフック部の下方に配置され、前記光コネクタを前後方向に対して拘束するように保持する第２のフック部とを有することを特徴とする請求項１〜３のいずれか一項記載の光接続モジュール。
【請求項５】
前記モジュール本体は、前記接続用光コードと接続された光カプラ部を含む光部品を収納する光部品収納部を内部に有し、
前記光カプラ部には試験用光コードが分岐接続されていることを特徴とする請求項１〜４のいずれか一項の光接続モジュール。
【請求項６】
前記モジュール本体の一端側外面の上端部は、前記試験用光コードの最小曲げ半径を確保するように前記試験用光コードを下方に導くための上下方向に湾曲状に延びるガイド溝が形成された湾曲面を有し、
前記湾曲面の下端部には、前記ガイド溝内に挿入された前記試験用光コードを押さえ込む押さえ部材が設けられていることを特徴とする請求項５記載の光接続モジュール。
【発明の詳細な説明】
【０００１】
【発明の属する技術分野】
本発明は、局内側光コードと局外側光コードとを接続する光接続モジュールに関するものである。
【０００２】
【従来の技術】
従来の光接続モジュールとしては、例えば特開平９−２５８０３３号公報に記載されている光分岐モジュールが知られている。この公報に記載の光分岐モジュールは、複数本の分岐接続用テープコード及び光部品を収納した本体と、この本体に対して分離可能に設けられた引出ケースとを備えている。そして、引出ケースには、分岐接続用テープコードに成端側テープコードを光接続する光コネクタと、分岐接続用テープコードに選択用テープコードを光接続する光コネクタとを着脱自在に支持するコネクタホルダが設けられている。
【０００３】
また、特開平９−２５８０３５号公報にも、上記と類似の光分岐モジュールが記載されている。
【０００４】
【発明が解決しようとする課題】
しかしながら、上記従来技術においては、成端側テープコードと分岐接続用テープコードとを接続する場合には、
▲１▼引出ケースを本体に対して引き出す
▲２▼引出ケース片面の蓋を開け、引出ケース内のコネクタホルダから光コネクタを取り出す
▲３▼光コネクタにより成端側テープコードと分岐接続用テープコードとを接続する
▲４▼光コネクタ及び分岐接続用テープコードの接続余長を引出ケース内に収納する
▲５▼引出ケースを本体に対して再結合する
といった複数の工程が必要であり、接続時の作業が煩雑であった。
【０００５】
本発明の目的は、接続用光コードと局外側光コードとを接続する時の作業性を向上させることができる光接続モジュールを提供することである。
【０００６】
本発明は、光成端架に収容され、局内側光コードと局外側光コードとを接続する光接続モジュールにおいて、局内側光コードと接続される接続用光コードの接続余長を収納する接続用光コード収納部を内部に有するモジュール本体と、モジュール本体の一端側外面に設けられ、接続用光コード収納部から導出された接続用光コードと局外側光コードとを接続した光コネクタを、モジュール本体が光成端架に収容された状態で着脱可能に保持するコネクタ保持部材とを備え、接続用光コード収納部は、モジュール本体の側面に対して平行に配置され、接続用光コードの接続余長を収納する２つの余長収納領域を形成する仕切板と、この仕切板の一方の面に形成され、接続用光コードを導くためのガイド溝と、このガイド溝に連続するように仕切板に形成され、接続用光コードを仕切板の他方の面側に導くためのガイド穴とを有し、接続用光コードの最小曲げ半径を確保した状態で、接続用光コードの接続余長を押し込み・引き出し自在に収納するように構成されており、コネクタ保持部材は２組を有し、これらのコネクタ保持部材は、モジュール本体の一端側外面における各余長収納領域に対応する部位に高さ位置をずらして設けられていることを特徴とする光接続モジュール。
【０００７】
このような接続モジュールにおいて、局外側光コードと接続用光コードとを接続する場合は、まず、接続用光コード収納部に収納された接続用光コードの接続余長をモジュール本体内から引き出す。そして、接続用光コードと局外側光コードとを光コネクタにより接続し、この光コネクタをコネクタ保持部材に保持する。その後、接続用光コードの接続余長をモジュール本体内に押し込む。このように光接続モジュールを光成端架に収容した状態で、局外側光コードと接続用光コードとの接続作業を行うことができる。これは、コネクタ保持部材をモジュール本体の内部ではなくモジュール本体の一端側外面に設けると共に、接続用光コードの最小曲げ半径を確保した状態で、接続用光コードの接続余長が押し込み・引き出し自在に収納されるように、接続用光コード収納部を構成することによって可能となるものである。従って、モジュールの蓋を開ける等の余計な作業が不要となり、接続用光コードと局外側光コードとを接続する時の作業性が向上する。また、光接続モジュールを光成端架に収容したまま接続作業が行えるので、接続用光コードの引き出し余長が不要となり、その分接続用光コード収納部の寸法を小さくできる。これにより、光接続モジュールの小型化を図ることが可能となる。さらに、モジュール本体に形成されるコード導出口の形状を、接続用光コードの断面形状に応じた形状とすることで、接続用光コードをねじれることなく引き出すことが可能となる。
また、接続用光コード収納部に、２つの余長収納領域を形成する仕切板と、接続用光コードを導くためのガイド溝と、接続用光コードを仕切板の他方の面側に導くためのガイド穴とを設け、２組のコネクタ保持部材を、モジュール本体の一端側外面における各余長収納領域に対応する部位に設けることにより、接続用光コード収納部に２組の接続用光コードの接続余長をスペース効率良く収納できる。このとき、２組の接続用光コードを一緒にガイド溝に挿入した状態で、一方の接続用光コードをガイド穴より仕切板の他方の面側の余長収納領域に移動させることで、２組の接続用光コードの接続余長の収納が容易に行える。
さらに、２組のコネクタ保持部材を、モジュール本体の一端側外面における各余長収納領域に対応する部位に高さ位置をずらして設けることにより、２組のコネクタ保持部材がモジュール本体の厚み方向に接近して配置されていても、局外側光コードと接続用光コードとの接続時や接続切替時において、接続状態になっている隣の光コネクタに触れる可能性が少なくなる。このため、他の活線の伝送信号に影響を与えることを防止しつつ、モジュール本体の厚み方向の寸法を小さくできる。
【０００８】
好ましくは、接続用光コード収納部は、接続用光コードの曲げ半径を最小曲げ半径以上に規制する第１の曲げ半径規制部材と、この第１の曲げ半径規制部材の周囲に設けられ、接続用光コードの曲げ半径を最小曲げ半径以上に規制する第２の曲げ半径規制部材とを有し、第１の曲げ半径規制部材と第２の曲げ半径規制部材との間の領域に接続用光コードの接続余長を巻回して収納するように構成されている。これにより、接続用光コードの最小曲げ半径を確保した状態で、接続用光コードの接続余長を押し込み・引き出し自在に収納することが、簡素な構造の接続用光コード収納部で実現できる。
【０００９】
また、好ましくは、モジュール本体は、局外側光コードの接続余長を収納する局外側光コード収納部を内部に有する。これにより、局外側光コードの接続余長を収納するための部材を、光成端架の架枠に設ける必要が無くなるため、複数の光接続モジュールに接続される複数本の局外側光コードをまとめて収納した場合に生じる局外側光コードの絡まり等の不具合が回避される。また、この場合には、架枠の構造が簡素化されるため、架枠のサイズを小さくできるか、架枠のサイズが変更無しであれば、より多くの光接続モジュールを収納できる。なお、光接続モジュールの寸法を大きくすることなしに、局外側光コード収納部をモジュール本体内に設けることができるのは、上述したように接続用光コード収納部のスペースが小さくなることに起因している。
【００１２】
また、好ましくは、コネクタ保持部材は、接続用光コードを保持する第１のフック部と、この第１のフック部の下方に配置され、光コネクタを前後方向に対して拘束するように保持する第２のフック部とを有する。この場合、接続用光コードと局外側光コードとを接続した状態の光コネクタをコネクタ保持部材に保持するときは、接続用光コードを第１のフック部に引っ掛けた後、光コネクタを落とし込んで第２のフック部に引っ掛けるようにする。そして、光コネクタをコネクタ保持部材から取り外すときは、光コネクタを持ち上げて第２のフック部から抜いた後、接続用光コードを第１のフック部から抜く。このように光コネクタのコネクタ保持部材への着脱が簡単に行える。
【００１３】
さらに、好ましくは、モジュール本体は、接続用光コードと接続された光カプラ部を含む光部品を収納する光部品収納部を内部に有し、光カプラ部には試験用光コードが分岐接続されている。これにより、試験用光コードを光パルス試験器と接続することで、光線路の試験機能を必要とする光通信網に対処できる。
【００１４】
この場合、モジュール本体の一端側外面の上端部は、試験用光コードの規定曲げ半径を確保するように試験用光コードを下方に導くための上下方向に湾曲状に延びるガイド溝が形成された湾曲面を有し、湾曲面の下端部には、ガイド溝内に挿入された試験用光コードを押さえ込む押さえ部材が設けられている。これにより、例えば光接続モジュールの上方に配置された光スイッチ等に試験用光コードを接続するときに、試験用光コードを、光スイッチ等の高さ位置より低い位置で、しかも最小曲率半径を確保した状態で引き回すことができる。
【００１５】
【発明の実施の形態】
以下、本発明に係る光接続モジュールの好適な実施形態について図面を参照して説明する。
【００１６】
図１は、本発明に係る光接続モジュールの一実施形態として光分岐モジュールを複数収容した光成端架を示す正面図である。同図において、光成端架１は、上面部にケーブル導入部２が設けられた架枠３を有し、ケーブル導入部２には、図示しない伝送装置と接続された複数本の所内側光ケーブル４と、加入者側と接続された複数本の所外側光ケーブル５とが引き留められている。架枠３内における右側端部には、複数の整列エレメント６が積層されており、この整列エレメント６は、所内側光ケーブル４から延びる複数本の所内側光コード７を整列状態で保持する。なお、ここでは、所内側光ケーブル４から延びる各光コードを光スプリッタモジュール（図示せず）により複数本の光コード７に光分配し、これらの光コード７を整列エレメント６に保持させる。
【００１７】
架枠３内における左側には、複数の光分岐モジュール８を収納するための複数段（ここでは４段）構造のモジュール収納枠９が設置されている。そして、モジュール収納枠９の各段には、複数（例えば６３個）の光分岐モジュール８が並設状態で収納されている。光分岐モジュール８は、図２に示すように、光成端架１の背面側（図で見てＸ方向側）よりモジュール収納枠９内に挿入される。そして、光モジュール８の前面に設けられたプラスチック製の固定用爪部材１０がモジュール収納枠９の係止部８ａに連結される。
【００１８】
光分岐モジュール８は、所外側光ケーブル５から延びる所外側光コード１１と局内側光コード７とを接続用光コード１２を介して接続すると共に、この接続用光コード１２と試験用光コード１３とを分岐接続するものである。試験用光コード１３は、光分岐モジュール８の上方に配置されたファイバセレクタ（光スイッチ）１４に接続されるものであり、ファイバセレクタ１４は、モジュール収納枠９の下方に配置された光パルス試験装置１５と接続されている。ここで、局内側光コード７は単心コードであり、例えば１６本の局内側光コード７が接続用光コード１２と接続される。また、所外側光コード１１は、例えば８心のテープ心線であり、試験用光コード１３は、例えば１６心のテープ心線、または２枚の８心テープ心線である。
【００１９】
光分岐モジュール８は、光部品や接続用光コード１２、試験用光コード１３が内部に収納されたモジュール本体１６を有している。このモジュール本体１６の前面における固定用爪部材１０の上方には、モジュール本体１６内で接続用光コード１２と接続された光コネクタアダプタ（１６連ＭＵ簡易レセプタクル）１７が取り付けられ、この光コネクタアダプタ１７には局内側光コード７が接続されている。なお、モジュール収納枠９の各段の正面側には配線トレイ１８が設けられ、この配線トレイ１８上に、複数本の局内側光コード７が一括押え部材１９により束ねた状態で置かれている。また、接続用光コード１２と所外側光コード１１とは８心ＭＴ型光コネクタ２０で接続され、試験用光コード１３とファイバセレクタとは１６心ＭＴ型光コネクタ２１で接続される。
【００２０】
光コネクタアダプタ１７の各キャップ部１７ａには、端子番号が印字されていると共に、その両側には、端子番号識別用のマーカ２２が一段毎に印刷されている（図３参照）。これにより、光コネクタアダプタ１７に局内側光コード７が接続されていても、端子番号の認識・識別が容易に行える。
【００２１】
また、モジュール本体１６の前面部における光コネクタアダプタ１７の上方には、取っ手２３ａを有し前後方向に押引自在な移動プレート２３が設けられ、この移動プレート２３の先端面には、設備情報（物品コード、製造メーカー、製造年、製造番号等）を管理するための２次元バーコードが付されたシール２４が貼り付けられている（図３参照）。これにより、光コネクタアダプタ１７に局内側光コード７が接続されていても、移動プレート２３を手前側に引き出す（図２の２点鎖線参照）ことで、バーコードリーダによりシール２４に印刷されたバーコードを確実に読み取ることができる。従って、光コネクタアダプタ１７に接続されている複数本の局内側光コード７に触れることなしに、設備情報の確認が可能となる。また、モジュール本体１６の後面部の上端部に設けられた突起部２５の先端面にも、設備情報管理用のバーコードシール２６が貼り付けられている（図６参照）。これにより、光成端架１の正面側だけでなく背面側でも設備情報を確認できる。
【００２２】
光分岐モジュール８の内部構成を図４に示す。同図において、光分岐モジュール８のモジュール本体１６内は、大略、光部品収納部２７と、接続用光コード収納部２８と、局外側光コード収納部２９とからなっている。
【００２３】
光部品収納部２７には、２組の接続用テープ心線（接続用光コード）１２に接続された光カプラ部３０が収納され、この光カプラ部３０からは２組の試験用テープ心線（試験用光コード）１３が分岐している。２組の接続用テープ心線１２は、単心分岐部３１で単心光コード１２ａにそれぞれ分割され、各単心光コード１２ａは光コネクタアダプタ１７に接続されている。また、光部品収納部２７には、Ｒガイド３２ａ，３２ｂを含む複数のガイド部材と、コード出入用のスリットを有する複数の保持部材３３とが収納されており、接続用テープ心線１２及び試験用心テープ心線１３がＲガイド３２ａ，３２ｂ等に沿って引き回されていると共に保持部材３３に保持されている。なお、Ｒガイド３２ａ，３２ｂを含む複数のガイド部材は、接続用テープ心線１２及び試験用心テープ心線１３の最小曲げ半径（３０ｍｍ）を維持するように構成されている。
【００２４】
このような光部品収納部２７の後面側には接続用光コード収納部２８が配置されている。この接続用光コード収納部２８は、モジュール本体１６の側面１６ａ（図２参照）に対して平行に配置された仕切板３４を有し、この仕切板３４によって表面側（図４の紙面表面側）余長収納領域と裏面側余長収納領域を形成している。そして、各余長収納領域に、光部品収納部２８で引き留められた接続用テープ心線１２の接続余長が１本ずつ収納される。
【００２５】
表面側余長収納領域および裏面側余長収納領域の各々には、Ｒガイド３５ａ，３５ｂからなる内側曲げ半径規制部材３５が設けられ、この内側曲げ半径規制部材３５の周囲には、４つのＲガイド３６ａを有する外側曲げ半径規制部材３６が配置されている。Ｒガイド３５ａ，３５ｂ及びＲガイド３６ａは、接続用テープ心線１２の曲げ半径を最小曲げ半径（３０ｍｍ）以上に規制するような曲面を有している。そして、内側曲げ半径規制部材３５と外側曲げ半径規制部材３６との間の領域に、接続用テープ心線１２の接続余長が巻回して収納される。
【００２６】
表面側余長収納領域における外側曲げ半径規制部材３６の下部には、光部品収納部２７からの２本の接続用テープ心線１２を導入するためのコード導入口３７が設けられ、仕切板３４の表面側には、コード導入口３７に連続してガイド溝３８が形成されている。このガイド溝３８は、接続用テープ心線１２の最小曲率半径を確保させるような湾曲形状を有し、コード導入口３７から内側曲げ半径規制部材３５に向かって延びている。また、仕切板３４における内側曲げ半径規制部材３５のＲガイド３５ａ，３５ｂ間には、ガイド溝３８に連続したガイド穴３９が形成されている。このガイド穴３９は、ガイド溝３８に挿入された接続用テープ心線１２を裏面側余長収納領域に容易に導くことができるように、Ｒガイド３５ａ，３５ｂに沿って湾曲状に延びている。
【００２７】
また、モジュール本体１６の後面部上部には、接続用光コード収納部２８に収納された接続用テープ心線１２の接続余長をモジュール本体１６内から導出させるためのコード導出口４０が設けられている。このコード導出口４０の高さ位置は、内側曲げ半径規制部材３５のＲガイド３５ｂの上端位置とほぼ一致している。これにより、Ｒガイド３５ｂに沿って巻き付けられた接続用テープ心線１２をコード導出口４０よりスムーズに出し入れできる。また、コード導出口４０の形状は、接続用テープ心線１２の断面形状に応じた形状となっている。これにより、接続用テープ心線１２をねじれることなくモジュール本体１６内から引き出すことができる。
【００２８】
このような接続用光コード収納部２８に接続用テープ心線１２を収納する場合、光部品収納部２７で引き留められた２本の接続用テープ心線１２をまとめてファイバ導入口３７よりガイド溝３８に挿入する。そして、２本の接続用テープ心線１２のいずれか一方をガイド穴３９を通して裏面側余長収納領域に持って行く。これにより、２本の接続用テープ心線１２を各余長収納領域に容易に振り分けることができる。
【００２９】
そして、各余長収納領域において、接続用テープ心線１２を内側曲げ半径規制部材３５に沿って複数回巻いた後、接続用テープ心線１２の先端側をコード導出口４０よりモジュール本体１６の外部に取り出す。このとき、接続用テープ心線１２の巻回数を調整すると共に、図５（ａ）に示すように接続用テープ心線１２をたるませた状態で巻回することで、接続用テープ心線１２は、各余長収納領域で、ねじれないように長手方向に挿通自在に保持された状態となる。これにより、図５（ｂ）に示すように接続用テープ心線１２を所定の長さだけモジュール本体１６内から引き出すことができる。つまり、接続用テープ心線１２をモジュール本体１６内の接続用光コード収納部２８に押し込み・引き出し自在となる。このとき、接続用テープ心線１２の押し引きに拘わらず、接続用テープ心線１２の最小曲率半径が常に確保されるため、接続用テープ心線１２の光学特性を悪化させることなく、充分な接続余長をとることができる。
【００３０】
図４に戻り、上記の接続用光コード収納部２８の下方には、局外側光コード収納部２９が設けられている。この局外側光コード収納部２９も、モジュール本体１６の側面１６ａに対して平行な仕切板４１を有し、この仕切板４１により表面側（図４の紙面表面側）収納領域と裏面側収納領域とが形成され、各収納領域に、局外側テープ心線１１の接続余長が１本ずつ収納される。また、局外側光コード収納部２９は、各余長収納領域において後面側に開口した開口部４２（図６参照）を有していると共に、各余長収納領域の前面側端部に、局外側テープ心線１１の最小曲げ半径を確保するためのＲガイド４３が形成されている。
【００３１】
このようにモジュール本体１６に局外側光コード収納部２９を設けたので、架枠３の各段に余長収納箱等の部材を取り付けなくて済む。このため、複数本の局外側テープ心線１１の接続余長を余長収納箱等にまとめて収納した場合のように、局外側テープ心線１１が絡まること等の不具合が無くなる。また、この場合には、架枠３の構造が簡素化されるばかりでなく、架枠３を小型化できるか、あるいは架枠３のサイズが変更無しであれば、より多くの光分岐モジュール８を収納できる。
【００３２】
モジュール本体１６の後面には、２組のコネクタ保持部材４４が設けられている。このコネクタ保持部材４４は、局外側テープ心線１１の先端に取り付けられた光コネクタ２０ａと接続用テープ心線の先端に取り付けられた光コネクタ２０ｂとを接続した状態で保持するものである。２組のコネクタ保持部材４４は、図４及び図６に示すように、接続用光コード収納部２８の表面側余長収納領域および裏面側余長収納領域に対応する部位で、高さをずらして配置されている。
【００３３】
各コネクタ保持部材４４は、モジュール本体１６の後面に固定された本体フレーム４５を有している。この本体フレーム４５の上端部には、接続用テープ心線１２を保持するコの字状の上側フック部４６が取り付けられ、本体フレーム４５の下端部には、接続状態の光コネクタ２０ａを保持するＬ字型の下側フック部４７が取り付けられている。下側フック部４７は、中央部に局外側テープ心線１１を通すための切欠き４７ａを有すると共に、上方に突出した爪部４７ｂを有している。そして、本体フレーム４５と爪部４７ｂとの間の領域Ｒ（図７参照）に光コネクタ２０ａが収容され保持される。このとき、光コネクタ２０ａ，２０ｂは、爪部４７ｂによって前後方向の移動が規制される。
【００３４】
モジュール本体１６の後面の上端部は湾曲面４８を有し、この湾曲面４８には、上下方向に湾曲状に延びるガイド溝４８ａが形成されている。そして、光部品収納部２７で引き留められた２本の試験用テープ心線１３が、接続用光コード収納部２８の上方を通ってガイド溝４８ａに導かれる。ガイド溝４８ａに挿入された２本の試験用テープ心線１３は、湾曲面４８の下端部において押さえ部材４９により押さえ込まれている。これにより、試験用テープ心線１３は、その最小曲げ半径を確保した状態で下方に導かれると共に、最小曲げ半径を確保したままファイバセレクタ１４の高さ位置よりも低い位置で引き回された状態で、ファイバセレクタ１４に接続することが可能となる。なお、２本の接続用テープ心線１２は、湾曲面４８におけるガイド溝４８ａの両側を通るように構成されており、試験用テープ心線１３と干渉することは無い。
【００３５】
以上のような光分岐モジュール８にあっては、接続用テープ心線１２をモジュール本体１６の外部に取り出して局外側テープ心線１１と接続すると共に、モジュール本体１６内に接続用テープ心線１２の接続余長を押し込み・引き出し自在に収納したので、接続用テープ心線１２の引き出し余長は不要となる。このため、その分だけ接続用光コード収納部２８の寸法を小さくできる。この場合には、光分岐モジュール８全体の小型化や、局外側光コード収納部２９のスペースを大きくとることが可能となる。
【００３６】
以上のように構成した光分岐モジュール８が収容された光成端架１において、光分岐モジュール８から延び出た接続用テープ心線１２と局外側テープ心線１１とを接続する場合、まず光成端架１の背面側において、接続用テープ心線１２を引っ張って光分岐モジュール８内から引き出す。このとき、接続用光コード収納部２８では、図５（ｂ）に示すように接続用テープ心線１２の接続余長のたるみが無くなり、接続用テープ心線１２が内側曲げ半径規制部材３５に沿うようになる。これにより、接続用テープ心線１２の最小曲げ半径を確保しつつ、所望の引き出し長を取ることができる。
【００３７】
続いて、局外側テープ心線１１先端の光コネクタ２０ａと接続用テープ心線１２先端の光コネクタ２０ｂとを連結し、固定用クリップ５０（図７参照）により光コネクタ２０ａ，２０ｂ同士を固定する。なお、固定用クリップ５０は、コネクタ保持部材４４側から挟んでもよいし、図７に示すようなコネクタ保持部材４４の反対側から挟んでもよい。そして、接続用テープ心線１２を側方よりコネクタ保持部材４４の上側フック部４６に引っ掛け、その後局外側テープ心線１１を下側フック部４７の切欠き４７ａに入れ、本体フレーム４５と爪部４７ｂとの間の領域Ｒに、接続状態の光コネクタ２０ａ，２０ｂを落とし込む。このとき、光コネクタ２０ａ，２０ｂは下側フック部４７の爪部４７ｂにより前後方向に対して拘束されるため、光コネクタ２０ａ，２０ｂは確実に保持される（図７（ａ）参照）。
【００３８】
また、このようなコネクタ保持部材４４は、モジュール本体１６の後面に高さ位置をずらして設けられているので、モジュール本体１６の厚み方向の寸法がある程度小さくても、隣の光コネクタ２０ａ，２０ｂや隣接する光分岐モジュール８の光コネクタに触れる可能性が少ない。従って、他の活線の伝送信号に影響を与えることを防止できる。
【００３９】
なお、光コネクタ２０ａ，２０ｂを、本体フレーム４５と爪部４７ｂとの間の領域Ｒから抜くときは、図７（ｂ）に示すように、光コネクタ２０ａ，２０ｂを爪部４７より若干上に持ち上げ、横にずらすことにより、簡単に取り外すことができる。
【００４０】
その後、局外側テープ心線１１の接続余長を、モジュール本体１６の後面の開口部４２よりモジュール本体１６内の局外側光コード収納部２９に押し込む。このとき、局外側テープ心線１１の接続余長は、局外側光コード収納部２９に設けたＲガイド４３と局外側テープ心線１１の曲げ剛性とによって、最小曲げ半径が確保された状態で収納される。
【００４１】
続いて、接続用テープ心線１２の接続余長をモジュール本体１６内の接続用光コード収納部２８に押し込む。これにより、接続用テープ心線１２の接続余長は、図５（ａ）に示すように内側曲げ半径規制部材３５と外側曲げ半径規制部材３６との間の領域でたるみ、最小曲げ半径が確保された状態で収納されることになる。
【００４２】
以上のように本実施形態によれば、光分岐モジュール８を光成端架１のモジュール収納枠９に収容したまま、接続用テープ心線１２と局外側テープ心線１１との接続作業を行うことができる。従って、従来に比べて大幅に工数を削減でき、接続時の作業性が向上する。
【００４３】
なお、本発明は上記実施形態に限定されない。例えば、上記実施形態では、光線路の試験機能を必要とする光通信網に対処できる光接続モジュールとして、光分岐モジュールについて説明したが、本発明に係る光接続モジュールは、そのような光分岐モジュールに限られず、光試験機能を必要としない光通信網に使用するものにも適用可能である。
【００４４】
【発明の効果】
本発明によれば、モジュール本体の一端側外面に、接続用光コードと局外側光コードとを接続した光コネクタを、モジュール本体が光成端架に収容された状態で着脱可能に保持するコネクタ保持部材を設けると共に、モジュール本体内の接続用光コード収納部を、接続用光コードの最小曲げ半径を確保した状態で、接続用光コードの接続余長を押し込み・引き出し自在に収納できるような構成としたので、光接続モジュールを光成端架に収容したまま、局外側光コードと接続用光コードとの接続作業を行うことができる。これにより、接続用光コードと局外側光コードとを接続する時の作業性が向上する。
【図面の簡単な説明】
【図１】本発明に係る光接続モジュールの一実施形態である光分岐モジュールを複数収納した光成端架を示す正面図である。
【図２】図１に示す光分岐モジュールが架枠のモジュール収納枠に収容された状態を示す側面図である。
【図３】図２に示すモジュール本体の前面上部を示す図である。
【図４】図２に示す光分岐モジュールの内部構成を示す図である。
【図５】図４に示す接続用光コードの接続余長が接続用光コード収納部に収納された状態と、接続用光コードの接続余長が接続用光コード収納部から引き出された状態を示す図である。
【図６】図２に示すモジュール本体の後面を示す図である。
【図７】図２に示す光コネクタがコネクタ保持部材に保持された状態と、光コネクタがコネクタ保持部材から外れた状態を示す図である。
【符号の説明】
１…光成端架、７…所内側光コード、８…光分岐モジュール（光接続モジュール）、１１…所外側光コード（所外側テープ心線）、１２…接続用光コード（接続用テープ心線）、１３…試験用光コード（試験用テープ心線）、１６…モジュール本体、１６ａ…側面、２０，２０ａ，２０ｂ…光コネクタ、２７…光部品収納部、２８…接続用光コード収納部、２９…所外光コード収納部、３０…光カプラ部、３４…仕切板、３５…内側曲げ半径規制部材（第１の曲げ半径規制部材）、３６…外側曲げ半径規制部材（第２の曲げ半径規制部材）、３８…カイド溝、３９…ガイド穴、４４…コネクタ保持部材、４６…上側フック部（第１のフック部）、４７…下側フック部（第２のフック部）、４８ａ…ガイド溝、４９…押さえ部材。
【図１】
0003638867.tif 000002
【図２】
0003638867.tif 000003
【図３】
0003638867.tif 000004
【図４】
0003638867.tif 000005
【図５】
0003638867.tif 000006
【図６】
0003638867.tif 000007
【図７】
0003638867.tif 000008